(57)【特許請求の範囲】
【請求項１】
正極及び負極の電極端子を有する複数の単電池からなる単電池群に組み付けられる配線モジュールであって、
前記複数の単電池に電気的に接続される複数の電線が配策される樹脂プロテクタを備え、
前記樹脂プロテクタは、複数の連結部材が連結されて構成されるものであり、
前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、
前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、
前記連結突片は、前記単電池群への組み付け方向の寸法が前記組み付け方向と直交する方向の寸法よりも大きい配線モジュール。
【請求項２】
前記連結突片は、前記単電池群への組み付け方向とは直交する方向に撓み変形可能であり、前記連結突片の先端部には、前記連結挿通部の被係止部に係止する係止部が前記組み付け方向とは直交する方向に突出している請求項１記載の配線モジュール。
【請求項３】
前記連結突片は、一対設けられており、前記一対の連結突片に設けられる前記各係止部は、互いに背き合う方向に突出している請求項２に記載の配線モジュール。
【請求項４】
正極及び負極の電極端子を有する複数の単電池からなる単電池群に組み付けられる配線モジュールであって、
前記複数の単電池に電気的に接続される複数の電線が配策される樹脂プロテクタを備え、
前記樹脂プロテクタは、複数の連結部材が連結されて構成されるものであり、
前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、
前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、
前記各連結部材には、前記連結突片に沿って突出するガイド突片と、隣り合う前記連結部材の前記ガイド突片が挿通されるガイド受け部とを備えており、前記隣り合う連結部材の連結の際には、前記連結突片の先端部が前記連結挿通部に挿通されるよりも先に、前記ガイド突片の先端部が前記ガイド受け部に挿通される配線モジュール。
【請求項５】
正極及び負極の電極端子を有する複数の単電池からなる単電池群に組み付けられる配線モジュールであって、
前記複数の単電池に電気的に接続される複数の電線が配策される樹脂プロテクタを備え、
前記樹脂プロテクタは、複数の連結部材が連結されて構成されるものであり、
前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、
前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、
前記各連結部材は、前記電極端子間を接続する接続部材を保持する保持部と、前記保持部に被せられるカバー部とを備えており、
前記カバー部には、前記連結部材の並び方向に向けて突出するカバー係合部と、隣り合う連結部材の前記カバー係合部と係合するカバー被係合部とを有し、
前記カバー係合部の突出方向は、前記カバー部を開いた状態において前記単電池群への組み付け方向とは反対側に傾斜している配線モジュール。
【発明の詳細な説明】
【技術分野】
【０００１】
本発明は、配線モジュールに関する。
【背景技術】
【０００２】
電気自動車やハイブリッド車用の電池モジュールは、正極及び負極の電極端子を有する単電池が複数個並んで配列されており、隣り合う単電池の電極端子間がバスバー（接続部材）で接続されることにより複数の単電池が直列や並列に接続されるようになっている。
【０００３】
ここで、下記特許文献１のように、合成樹脂製の複数の単位ユニットにそれぞれ接続部材を収容し、隣り合う単位ユニットを連結することにより、複数の接続部材を一体的に装着することが考えられた。
【０００４】
この特許文献１の電池接続アセンブリは、各単位ユニットの並び方向の一方の端部に、円柱状の延出部が並び方向に突出した係合部が設けられるとともに、並び方向の他方の端部に隣り合う単位ユニットの係合部と係合する被係合部が設けられている。この係合部には、延出部の先端に張出部が設けられており、被係合部には、延出部が嵌め込まれる挿通凹部が設けられている。
【０００５】
そして、このような複数の単位ユニット（連結部材）が係合部と被係合部とによって互いに連結されて電池接続アセンブリが構成されるようになっている。また、電池接続アセンブリを複数並んで配列された単電池群に装着することで、複数の単電池が直列や並列に接続される。
【０００６】
ここで、この電池接続アセンブリ（配線モジュール）は、係合部の円柱部分と挿通凹部により隣り合う単位ユニット（連結部材）間において並び方向への相対的な変位が許容されており、隣り合う複数の単電池の電極端子間に寸法公差がある場合であっても、単位ユニット（連結部材）間が相対的に移動することで、電極端子間の寸法公差に対応できるようになっている。
【先行技術文献】
【特許文献】
【０００７】
【特許文献１】特開２０１１−１７５９２８号公報
【発明の概要】
【発明が解決しようとする課題】
【０００８】
ところで、配線モジュールを単電池に装着する際には、複数の単電池間の寸法公差のために、一般に、全ての連結部材を一体的に単電池群に組み付けることはせず、並び方向の一方の端部の連結部材から他方の端部側の連結部材へと順番に組み付けていく方が効率的である。
【０００９】
ここで、この組み付けの際に、連結部材が並び方向に一直線状に連結されていると、単電池間の寸法公差に対応させることが難しいため、単電池群への組み付け作業性の観点から望ましくない。一方、並んで配列された連結部材を単電池群への組み付け方向とは反対側に撓ませることができれば、並び方向の一方の端部側の連結部材から並び方向の他方の端部側の連結部材へと順番に組み付けていくことが可能となり、配線モジュールの組み付け作業性を向上させることができる。
【００１０】
しかしながら、特許文献１の構成では、隣り合う連結部材について、延出部の外周を挿通凹部に（ほとんど隙間なく）嵌め込んで連結する構成であるため、配線モジュール（複数並んで配列された連結部材）を単電池群への組み付け方向とは反対側に撓ませることが容易ではなく、配線モジュールの組み付け作業性が低下しやすいという問題があった。
【００１１】
本発明は上記のような事情に基づいて完成されたものであって、単電池群への組み付け作業性を向上させることが可能な配線モジュールを提供することを目的とする。
【課題を解決するための手段】
【００１２】
本発明に係る配線モジュールは、正極及び負極の電極端子を有する複数の単電池からなる単電池群に組み付けられる配線モジュールであって、前記複数の単電池に電気的に接続される複数の電線が配策される樹脂プロテクタを備え、前記樹脂プロテクタは、複数の連結部材が連結されて構成されるものであり、前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、前記連結突片は、前記単電池群への組み付け方向の寸法が前記組み付け方向と直交する方向の寸法よりも大きい。
【００１３】
本構成によれば、所定のクリアランスにより樹脂プロテクタにおける単電池群への組み付け方向とは反対側への撓み変形が許容されるため、単電池群に対して連結部材の並び方向の一方の側から他方の側へと順番に組み付けていく作業が容易になる。よって、配線モジュールの単電池群への組み付け作業性を向上させることが可能となる。
なお、樹脂プロテクタにおける単電池群への組み付け方向については、切欠部を設けないことで所定のクリアランスを形成しないようにすれば、樹脂プロテクタにおける単電池群への組み付け方向の撓み変形を規制することができる。よって、例えば、単電池群への組み付けの前に樹脂プロテクタを持ち上げた際における組み付け方向の撓み変形を規制できるため、配線モジュールの組み付け位置への移動の際の作業性の低下を抑制できる。
また、組み付け方向や組み付け方向とは反対方向への力に対する連結突片の剛性を高めることができる。
本発明に係る配線モジュールは、正極及び負極の電極端子を有する複数の単電池からなる単電池群に組み付けられる配線モジュールであって、前記複数の単電池に電気的に接続される複数の電線が配策される樹脂プロテクタを備え、前記樹脂プロテクタは、複数の連結部材が連結されて構成されるものであり、前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、前記各連結部材には、前記連結突片に沿って突出するガイド突片と、隣り合う前記連結部材の前記ガイド突片が挿通されるガイド受け部とを備えており、前記隣り合う連結部材の連結の際には、前記連結突片の先端部が前記連結挿通部に挿通されるよりも先に、前記ガイド突片の先端部が前記ガイド受け部に挿通される。
本構成によれば、所定のクリアランスにより樹脂プロテクタにおける単電池群への組み付け方向とは反対側への撓み変形が許容されるため、単電池群に対して連結部材の並び方向の一方の側から他方の側へと順番に組み付けていく作業が容易になる。よって、配線モジュールの単電池群への組み付け作業性を向上させることが可能となる。
なお、樹脂プロテクタにおける単電池群への組み付け方向については、切欠部を設けないことで所定のクリアランスを形成しないようにすれば、樹脂プロテクタにおける単電池群への組み付け方向の撓み変形を規制することができる。よって、例えば、単電池群への組み付けの前に樹脂プロテクタを持ち上げた際における組み付け方向の撓み変形を規制できるため、配線モジュールの組み付け位置への移動の際の作業性の低下を抑制できる。
また、隣り合う連結部材の連結の際に、連結突片の先端部が連結挿通部に挿通されるよりも先に、ガイド突片の先端部がガイド受け部に挿通されるため、ガイド突片を目安に連結部材を連結することが可能になる。よって、連結部材の連結の際の作業性を向上させることが可能になる。
本発明に係る配線モジュールは、正極及び負極の電極端子を有する複数の単電池からなる単電池群に組み付けられる配線モジュールであって、前記複数の単電池に電気的に接続される複数の電線が配策される樹脂プロテクタを備え、前記樹脂プロテクタは、複数の連結部材が連結されて構成されるものであり、前記各連結部材は、当該連結部材における並び方向の一端側に設けられて前記並び方向に突出する連結突片と、前記連結部材における並び方向の他端側に設けられて隣り合う前記連結部材の前記連結突片が挿通される連結挿通部とを備えており、前記連結突片は、前記連結挿通部に挿通された状態で、前記単電池群への組み付け方向における前記連結挿通部との間に所定のクリアランスを形成する切欠部を有し、前記切欠部は、前記連結突片の上下方向の寸法を先端側に向かう程短くなるように下端側を切り欠き、前記連結突片の上端側は、前記切欠部を設けないようにするとともに、前記連結挿通部は、前記連結突片の上側に配される上壁と、前記連結突片の下側に配される係合壁とを備え、前記所定のクリアランスは、前記連結突片と前記係合壁との間に形成され、前記所定のクリアランスにより前記樹脂プロテクタにおける前記単電池群への組み付け方向とは反対側への撓み変形が許容されており、前記各連結部材は、前記電極端子間を接続する接続部材を保持する保持部と、前記保持部に被せられるカバー部とを備えており、前記カバー部には、前記連結部材の並び方向に向けて突出するカバー係合部と、隣り合う連結部材の前記カバー係合部と係合するカバー被係合部とを有し、前記カバー係合部の突出方向は、前記カバー部を開いた状態において前記単電池群への組み付け方向とは反対側に傾斜している。
本構成によれば、所定のクリアランスにより樹脂プロテクタにおける単電池群への組み付け方向とは反対側への撓み変形が許容されるため、単電池群に対して連結部材の並び方向の一方の側から他方の側へと順番に組み付けていく作業が容易になる。よって、配線モジュールの単電池群への組み付け作業性を向上させることが可能となる。
なお、樹脂プロテクタにおける単電池群への組み付け方向については、切欠部を設けないことで所定のクリアランスを形成しないようにすれば、樹脂プロテクタにおける単電池群への組み付け方向の撓み変形を規制することができる。よって、例えば、単電池群への組み付けの前に樹脂プロテクタを持ち上げた際における組み付け方向の撓み変形を規制できるため、配線モジュールの組み付け位置への移動の際の作業性の低下を抑制できる。
また、樹脂プロテクタを撓ませた際に、カバー係合部とカバー被係合部との係合が解除されるという不具合が発生することを抑制できる。
【００１４】
上記構成の実施態様として以下の構成を有すれば好ましい。
【００１５】
前記連結突片は、前記単電池群への組み付け方向とは直交する方向に撓み変形可能であり、前記連結突片の先端部には、前記連結挿通部の被係止部に係止する係止部が前記組み付け方向とは直交する方向に突出している。
【００１６】
・前記連結突片は、一対設けられており、前記一対の連結突片に設けられる前記各係止部は、互いに背き合う方向に突出している。
このようにすれば、簡素な構成で、連結部材の連結状態を保持することができる。
【発明の効果】
【００１９】
本発明によれば、配線モジュールについて単電池群への組み付け作業性を向上させることが可能になる。
【図面の簡単な説明】
【００２０】
【図１】電池モジュールを示す平面図
【図２】配線モジュールを示す正面図
【図３】カバー部を開いた状態の配線モジュールを示す平面図
【図４】図３のＡ−Ａ断面図
【図５】連結突片の係止部が被係止部に係止される状態を概略的に拡大して示した図
【図６】図３のＢ−Ｂ断面図
【図７】図３のＣ−Ｃ断面図
【図８】連結部材を示す正面図
【図９】カバー部を開いた状態における連結部材を示す右側面図
【図１０】連結突片の連結挿通部への挿通を説明する図
【図１１】配線モジュールを単電池群への組み付け方向とは反対側に撓ませた状態を示す図
【図１２】図１１の状態における連結突片と連結挿通部との関係を示す図
【発明を実施するための形態】
【００２１】
＜実施形態＞
本発明の配線モジュール２０の一実施形態を、図１ないし図１２を参照しつつ説明する。
本実施形態の配線モジュール２０は、図１に示すように、複数の単電池１１を並べて構成された単電池群１３に取付けられて電池モジュール１０を構成するものであり、この電池モジュール１０は、例えば、電気自動車またはハイブリッド自動車等の駆動源として使用される。以下では、上下方向については、図２を基準とし、図３の下方を前方、上方を後方として説明する。
【００２２】
（電池モジュール）
電池モジュール１０は、図１に示すように、横並びに配列された複数個の単電池１１からなる単電池群１３と、単電池群１３の上面に組み付けられる複数の配線モジュール２０とを備えて構成されている。
単電池１１は、内部に図示しない発電要素が収容された直方体状の本体部の上面から垂直に突出する一対の電極端子１２Ａ，１２Ｂを有する。
【００２３】
電極端子１２Ａ，１２Ｂ（正極を１２Ａ，負極を１２Ｂとして図示）は、本体部の前部及び後部に設けられており、外周にネジ溝を有する円柱形状（ボルト状）をなす。
各単電池１１の極性（正負）の向きは、互いに隣り合う単電池１１が逆向きになるように配置されており、これにより、互いに異極の電極端子１２Ａ，１２Ｂが隣り合うように構成されている。これら複数の単電池１１は図示しない保持板によって固定されている。
このように構成された単電池群１３は電極端子１２Ａ，１２Ｂが２列に並んでおり、各列に対して配線モジュール２０をそれぞれ組み付けることにより、複数の単電池１１が直列に接続される。
【００２４】
（配線モジュール）
配線モジュール２０（以下では図１における下方（前方）の配線モジュール２０について説明する）は、図３に示すように、左右に隣り合う電極端子１２Ａ，１２Ｂ間を接続する複数の接続部材２１と、各接続部材２１に重ねられ電線の端末部に接続されて単電池１１の電圧を検知する複数の電圧検知端子２３と、接続部材２１及び電圧検知端子２３が収容される複数の連結部材２６を連結して構成される合成樹脂製の樹脂プロテクタ２５と、を備えて構成されている。これにより、配線モジュール２０は、各連結部材２６に接続部材２１及び電圧検知端子２３が配されてなる連結ユニット２０Ａが左右に連結されて構成されている。
【００２５】
接続部材２１は、銅、銅合金、アルミニウム等の金属からなり、概ね長方形の板状をなし、電極端子１２Ａ，１２Ｂが通される一対の通し孔２２が貫通形成されている。各通し孔２２は、共に単電池１１の並び方向である左右方向に長い長円形状をなす。
電圧検知端子２３は、単電池１１の電圧を検知するために設けられており、矩形状の金属板材に電線（図示しない）が圧着等の公知の接続手段により接続されている。
【００２６】
電圧検知端子２３の中心部には、ボルトが挿通される通し孔２４が貫通形成されている。通し孔２４は、左右方向に長い長円形状をなし、接続部材２１の一方の通し孔２２に重ねられる。
電線は、被覆電線であって、端末部において絶縁被覆（絶縁層）を剥ぎ取り露出させた導体が電圧検知端子２３に接続されている。
【００２７】
（樹脂プロテクタ）
樹脂プロテクタ２５は、合成樹脂製であって、５個（複数）の連結部材２６が左右に連結されて構成されている。
５個の連結部材２６は、共に同一形状であって、各接続部材２１及び各電圧検知端子２３を保持する保持部２７と、電圧検知端子２３に接続された電線が収容される逆Ｔ字状の電線収容部３０と、保持部２７と電線収容部３０との間に介設されて強度を高める補強部３５と、保持部２７及び補強部３５を覆うカバー部５５と、を備える。
【００２８】
保持部２７は、接続部材２１が載置され、電極端子１２Ａ，１２Ｂの台座部分を挿通可能な開口部が左右一対形成された底板（図示しない）と、接続部材２１を外部と仕切る仕切り壁２８とを備える。
仕切り壁２８は、工具等が電極端子１２Ａ，１２Ｂ，接続部材２１及び電圧検知端子２３に接触して短絡することを防止するために、工具等の接触が防止される高さで設けられるものであり、前方及び左方を開放し、後方及び右方を包囲するように接続部材２１の周囲に立設されている。開放された左方側については、隣の連結部材２６の右方の仕切り壁２８が開放された部分に隣接するように配されるため、隣り合う接続部材２１間は、仕切り壁２８により仕切られるようになっている。
【００２９】
仕切り壁２８の内面には、規制片２９が設けられている。この規制片２９の下側に接続部材２１が配されることで接続部材２１の離脱が規制される。
電線収容部３０は、保持部２７に連なる電線導入部３１と、電線導入部３１に導入された電線が配策される電線配策部３２とを備えており、逆Ｔ字状の電線収容溝（図示しない）がヒンジ３３を介して接続された逆Ｔ字状の溝蓋３４で覆われている。
【００３０】
補強部３５は、図９に示すように、電線導入部３１の左右に所定の厚みで設けられている。
補強部３５の右端部（連結部材の並び方向の一端側）には、右方（連結部材の並び方向）に突出する一対の連結突片４６，４７及びガイド突片４８が設けられている。
一方、補強部３５の左端部（連結部材２６の並び方向の他端側）には、図３に示すように、隣の連結部材２６の一対の連結突片４６，４７及びガイド突片４８が挿通される連結挿通部３６及びガイド受け部４１が設けられている。
【００３１】
連結挿通部３６は、図１０に示すように、各連結突片４６，４７を挿通可能な大きさで形成されており、連結突片４６，４７の上側に配される上壁３７と、上壁３７の奥端から下方に延びる奥壁３８と、連結突片４６，４７の下側に配される係合壁３９とを備える。
係合壁３９は、金型の抜きを可能とするために、上壁３７に対しては左方に位置をずらし、奥壁３８に対しては、下方に位置をずらして形成されている。
【００３２】
この係合壁３９の上端は、樹脂プロテクタ２５を撓み変形させる際に、連結突片４６，４７の下端の後述する切欠部４９に係合して、樹脂プロテクタ２５の過度の撓み変形を規制する。
また、連結挿通部３６は、図５に示すように、互いに向かい合う方向に突出する一対の被係止部４０Ａ，４０Ｂを有する。
被係止部４０Ａ，４０Ｂは、上壁３７及び奥壁４３に連なるように設けられており、連結突片４６，４７側に鉤状に突出している。
【００３３】
ガイド受け部４１は、図６に示すように、ガイド突片４８を挿通可能な大きさで形成されており、ガイド突片４８の上方に配される上壁４２と、上壁４２の奥端から下方に延びる奥壁４３と、ガイド突片４８の下方に配される係合壁４４と、を備える。
係合壁４４は、金型の抜きを可能とするために、上壁４２に対しては左方に位置をずらし、奥壁４３に対しては、下方に位置をずらして形成されている。
この係合壁４４は、樹脂プロテクタ２５を撓み変形させる際に、ガイド突片４８の下端の切欠部４９に当接して、樹脂プロテクタ２５の過度の撓み変形を規制する。
【００３４】
一対の連結突片４６，４７及びガイド突片４８は、共に上下方向（配線モジュール２０の組み付け方向）に厚肉であって、前後方向（組み付け方向と直交する方向）に薄肉に形成されている。連結突片４６，４７は、前後方向に薄肉の形状ゆえに、前後方向に撓み変形可能になっている。一対の連結突片４６，４７は、その各基端部間にわずかな隙間を有しており、先端側に向けて互いに離間する（広がる）方向に傾斜している。
【００３５】
連結突片４６，４７及びガイド突片４８の下側には、この下端を傾斜状に切欠いた切欠部４９が形成されている。
切欠部４９は、連結突片４６，４７及びガイド突片４８の上下方向の寸法を先端側に向かう程短くするように下端側を切欠いて形成されている。より詳しくは、切欠部４９は、連結突片４６，４７及びガイド突片４８が、連結部材２６が正常に連結される位置である正規連結位置まで（左右方向に）連結挿通部３６に挿通された際に、連結突片４６，４７の切欠部４９と係合壁３９，４４の上端との間に所定のクリアランスＣＬを形成する大きさで切欠かれている。
【００３６】
所定のクリアランスＣＬは、配線モジュール２０の組み付けの際に、配線モジュール２０（樹脂プロテクタ２５）を組み付け方向とは反対側に撓ませて、連結ユニット２０Ａを複数の単電池１１に１個ずつ順番に組み付けやすい寸法に設定されるものであり、例えば、電極端子１２Ａ，１２Ｂの高さ等に応じて撓ませる必要がある大きさに設定される。
一方、一対の連結突片４６，４７及びガイド突片４８は、上方側については、切欠部４９が設けられておらず、上端５０がほぼ水平方向に延出されているため、樹脂プロテクタ２５の組み付け方向に撓もうとする力に対しては、同様に水平方向に延出された上壁３７の下面に当接することで、樹脂プロテクタ２５の組み付け方向については撓み変形が抑制される。
【００３７】
また、一対の連結突片４６，４７の各先端部には、互いに背き合う方向に突出する係止部５１，５２が設けられている。係止部５１，５２は、図５に示すように、連結挿通部３６に設けられた被係止部４０Ａ，４０Ｂに係止可能な形状であって、互いに背き合う方向に段差状に突出する段差部５３と、段差部５３の先方にて傾斜状に突出寸法が小さくなる傾斜部５４とを有する。なお、ガイド突片４８及びガイド受け部４１には、係止部５１，５２及び被係止部４０Ａ，４０Ｂに対応する左右方向（並び方向）の移動を規制する構成は設けられていない。
【００３８】
樹脂プロテクタ２５を上方（組み付け方向とは反対側）に撓ませようとする力が生じた際に、隣り合う連結部材２６間が相対的に離間する方向に移動すると、上方への撓み変形が大きくなりすぎたり、隣り合う連結部材２６間の連結が解除される不具合が懸念される。また、樹脂プロテクタ２５を下方（組み付け方向）に撓ませようとする力が生じた際に、隣り合う連結部材２６間が相対的に離間する方向に移動すると、組み付けの際に撓ませたくない下方についても樹脂プロテクタ２５が撓んでしまうことが懸念される。
【００３９】
一方、本実施形態では、連結突片４６，４７が連結挿通部３６に挿通されると、連結突片４６，４７が被係止部４０Ａ，４０Ｂに当接して撓み、連結突片４６，４７が正規連結位置まで挿通されて連結部材２６が連結された状態では、連結突片４６，４７が復元変形して係止部５１，５２が被係止部４０Ａ，４０Ｂの挿入方向の前方に配される。これにより、樹脂プロテクタ２５を組み付け方向とは反対側に撓ませようとする力に対しては、被係止部４０Ａ，４０Ｂが係止部５１，５２に係止されることにより、過度の撓みや隣り合う連結部材２６間の連結の解除を防止することができる。また、樹脂プロテクタ２５を組み付け方向に撓ませようとする力に対しては、連結部材２６間の相対的な移動が規制されることで樹脂プロテクタ２５の撓み変形を抑制することができる。
【００４０】
カバー部５５は、図３に示すように、保持部２７にヒンジ５５Ａを介して接続されており、カバー本体５６と、カバー本体５６における並び方向の一方の側に突出するカバー係合部５７と、隣り合う連結部材２６のカバー係合部５７と係合するカバー被係合部６０とを有している。
カバー本体５６のカバー係合部５７が配される一方の角部は、矩形状に切欠かれている。
【００４１】
カバー係合部５７は、カバー本体５６の矩形状に切欠かれた部分に設けられており、図８に示すように、並び方向に突出する板状突片５８と、板状突片５８の先端部にて下方に突出するカバー係止部５９とを備えている。
板状突片５８は、左右方向に長い長方形の板状であり、その先端部は、幅方向の両端部がテーパ状に角が取られている。
【００４２】
この板状突片５８の突出方向は、自然状態（外力が作用していない状態）において、水平方向（左右方向）に対して上方側に傾斜している。
カバー係止部５９は、段差状に突出し、先端側に向けて突出寸法が小さくなる形状をなす。
カバー被係合部６０は、カバー係合部５７とは、カバー本体５６のうち連結部材２６の並び方向における反対側に設けられており、図７に示すように、カバー係合部５７が挿通されるカバー挿通部６１と、カバー係止部５９が配される係止孔６２とを有する。
【００４３】
カバー挿通部６１は、カバー本体５６を挿通できるように設けられた高さ位置の異なる第１挿通部６１Ａと第２挿通部６１Ｂとからなり、第１挿通部６１Ａは、カバー本体５６とは異なる高さ位置に設けられ、第２挿通部６１Ｂは、カバー本体５６と面一に設けられている。第１挿通部６１Ａの下方には、金型の抜きのためにカバー本体５６を貫通する抜き孔５６Ａが形成されている。
【００４４】
係止孔６２は、カバー本体５６を貫通する貫通孔であり、カバー係止部５９の形状に応じて前後方向に長い長方形状とされている。
そして、カバー挿通部６１にカバー係合部５７が正規連結位置まで挿通されることにより、係止孔６２にカバー係止部５９が配され、隣り合うカバー部５５が連結される。このとき、隣り合うカバー部５５が離間する方向の力に対しては、係止孔６２の孔縁にカバー係止部５９が係止されることにより、カバー部５５の連結状態が保持される。
【００４５】
次に、配線モジュール２０の組み付けについて説明する。
まず、接続部材２１を保持部２７のうち仕切り壁２８が設けられていない側方側から左右方向に挿入し、接続部材２１を保持部２７内に保持する。
次に、カバー係合部５７をカバー被係合部６０に係合させるとともに、連結部材２６のガイド突片４８及び連結突片４６，４７を隣の連結部材２６のガイド受け部４１及び連結挿通部３６に挿通する。
【００４６】
この連結の際の順番は、まず、カバー係合部５７の板状突片５８をカバー被係合部６０のカバー挿通部６１に挿通し、その後、ガイド突片４８をガイド受け部４１に挿通し、次に、連結突片４６，４７を連結挿通部３６に挿通する。
【００４７】
そして、板状突片５８がカバー挿通部６１に、ガイド突片４８をガイド受け部４１、連結突片４６，４７が連結挿通部３６に、共に正規連結位置まで挿通されると、隣り合う連結部材２６が正規に連結された状態となる。同様に連結すべき全ての連結部材２６について連結することで複数の接続部材２１が収容された状態の樹脂プロテクタ２５が形成される。
【００４８】
次に、電線の端末に接続された電圧検知端子２３を接続部材２１に重ねて装着し、溝蓋３４を開けて電線を電線収容溝に通し、電線を配策したら溝蓋３４を閉じる。
これにより、複数の連結ユニット２０Ａが連結された配線モジュール２０が形成される（図２）。
【００４９】
そして、配線モジュール２０を、持ち上げ、単電池群１３の上方に移動させる。この移動の際には、連結突片４６，４７が被係止部４０Ａ，４０Ｂにより左右方向に係止された状態で連結挿通部３６の上壁３７と連結突片４６，４７の上端５０、及び、ガイド受け部４１の上壁４２及びガイド突片４８の上端５０とが当接することにより下方への撓み変形が抑制されているため、配線モジュール２０は、ほぼ水平な状態で持ち上げられる。
【００５０】
次に、単電池群１３の上方では、図１１に示すように、配線モジュール２０（の樹脂プロテクタ２５）のうち、一方の端部側（の連結部材２６）を水平な状態とし、他方の端部側を上方に撓み変形させる。このとき、連結突片４６，４７及びガイド突片４８の下端の切欠部４９と、係合壁３９，４４との間には、所定のクリアランスＣＬが設けられているため、このクリアランスＣＬにより配線モジュール２０（の樹脂プロテクタ２５）を容易に撓ませることができる（図１２）。
【００５１】
そして、配線モジュール２０の一端側の連結部材２６から順番に他端側の連結部材２６まで各単電池１１の電極端子１２Ａ，１２Ｂを接続部材２１及び電圧検知端子２３の通し孔２２，２４に通して組み付け、電極端子１２Ａ，１２Ｂをナットで締結する。その後、カバー部５５を閉じる。これにより、単電池群１３に配線モジュール２０が組み付けられた電池モジュール１０が形成される（図１）。
【００５２】
上記実施形態の構成によれば、以下の作用・効果を奏する。
（１）正極及び負極の電極端子１２Ａ，１２Ｂを有する複数の単電池１１からなる単電池群１３に組み付けられる配線モジュール２０であって、複数の単電池１１に電気的に接続される複数の電線が配策される樹脂プロテクタ２５を備え、樹脂プロテクタ２５は、複数の連結部材２６が連結されて構成されるものであり、各連結部材２６は、当該連結部材２６における並び方向の一端側に設けられて並び方向に突出する連結突片４６，４７と、連結部材２６における並び方向の他端側に設けられて隣り合う連結部材２６の連結突片４６，４７が挿通される連結挿通部３６とを備えており、連結突片４６，４７は、連結挿通部３６に挿通された状態で、単電池群１３への組み付け方向における連結挿通部３６との間にクリアランスＣＬを形成する切欠部４９を有し、所定のクリアランスＣＬにより樹脂プロテクタ２５における単電池群１３への組み付け方向とは反対側への撓み変形が許容される。
【００５３】
本実施形態によれば、所定のクリアランスＣＬにより樹脂プロテクタ２５における単電池群１３への組み付け方向とは反対側への撓み変形が許容されるため、単電池群１３に対して連結部材２６の並び方向の一方の側から他方の側へと順番に組み付けていく作業が容易になる。よって、配線モジュール２０の単電池群１３への組み付け作業性を向上させることが可能となる。
なお、樹脂プロテクタ２５における単電池群１３への組み付け方向については、切欠部４９を設けないことで所定のクリアランスＣＬを形成しないようにすれば、樹脂プロテクタ２５における単電池群１３への組み付け方向の撓み変形を規制することができる。よって、例えば、単電池群１３への組み付けの前に樹脂プロテクタ２５を持ち上げた際における組み付け方向の撓み変形を規制できるため、配線モジュール２０の組み付け位置への移動の際の作業性の低下を抑制できる。
【００５４】
（２）連結突片４６，４７は、単電池群１３への組み付け方向について厚肉の形状である。
このようにすれば、組み付け方向や組み付け方向とは反対方向への力に対する連結突片４６，４７の剛性を高めることができる。
【００５５】
（３）連結突片４６，４７は、単電池群１３への組み付け方向とは直交する方向である肉薄とされた方向に撓み変形可能であり、連結突片４６，４７の先端部には、連結挿通部３６の被係止部４０Ａ，４０Ｂに係止する係止部５１，５２が肉薄とされた方向に突出している。
このようにすれば、連結部材２６を連結状態に保持することができる。
【００５６】
（４）連結突片４６，４７は、一対設けられており、一対の連結突片４６，４７に設けられる各係止部５１，５２は、互いに背き合う方向に突出している。
このようにすれば、簡素な構成で、連結部材２６の連結状態を保持することができる。
【００５７】
（５）各連結部材２６には、連結突片４６，４７に沿って突出するガイド突片４８と、隣り合う連結部材２６のガイド突片４８が挿通されるガイド受け部４１とを備えており、隣り合う連結部材２６の連結の際には、連結突片４６，４７の先端部が連結挿通部３６に挿通されるよりも先に、ガイド突片４８の先端部がガイド受け部４１に挿通される。
このようにすれば、隣り合う連結部材２６の連結の際に、連結突片４６，４７の先端部が連結挿通部３６に挿通されるよりも先に、ガイド突片４８の先端部がガイド受け部４１に挿通されるため、ガイド突片４８を目安に連結部材２６を連結することが可能になる。よって、連結部材２６の連結の際の作業性を向上させることが可能になる。
【００５８】
（６）各連結部材２６は、電極端子１２Ａ，１２Ｂ間を接続する接続部材２１を保持する保持部２７と、保持部２７に被せられるカバー部５５とを備えており、カバー部５５には、連結部材２６の並び方向に向けて突出するカバー係合部５７と、隣り合う連結部材２６のカバー係合部５７と係合するカバー被係合部６０とを有し、カバー係合部５７の突出方向は、カバー部５５を開いた状態において単電池群１３への組み付け方向とは反対側に傾斜している。
このようにすれば、樹脂プロテクタ２５を撓ませた際に、カバー係合部５７とカバー被係合部６０との係合が解除されるという不具合が発生することを抑制することが可能になる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、連結突片４６，４７，ガイド突片４８及びカバー係合部５７を連結部材２６の右端側に設け、連結挿通部３６，ガイド受け部４１及びカバー被係合部６０を連結部材２６の左端側に設けたが、これとは反対に、連結突片４６，４７，ガイド突片４８及びカバー係合部５７を連結部材２６の左端側に設け、連結挿通部３６，ガイド受け部４１及びカバー被係合部６０を連結部材２６の右端側に設けるようにしてもよい。また、これらのいずれかを左右に入れ替えるようにしてもよい。
【００６０】
（２）上記実施形態では、接続部材２１は、異極の電極端子１２Ａ，１２Ｂを接続（直列接続）するものとしたが、これに限られず、同極の電極端子１２Ａ，１２Ｂを接続（並列接続）するものでもよい。例えば、上記実施形態の電池モジュール１０に更に別の単電池１１を並列接続し、この並列接続における同極の電極端子１２Ａ，１２ＢＡ（Ｂ）を複数の接続部材２１で接続するようにしたものでもよい。
【００６１】
（３）電池モジュール１０を構成する単電池１１の数については、上記実施形態の個数に限られず、配線モジュール２０についても単電池１１の個数に応じて連結ユニット２０Ａ（連結部材２６）の個数を適宜変更することができる。
（４）上記実施形態では、電極端子１２Ａ，１２Ｂに接続部材２１を挿通してナットで締結する構成であったが、これに限らず、単電池１１についてナット型の電極端子を備える構成とし、ボルトを電極端子に締結するようにしてもよい。
【符号の説明】
【００６２】
１０…電池モジュール
１１…単電池
１２Ａ，１２Ｂ…電極端子
１３…単電池群
２０…配線モジュール
２０Ａ…連結ユニット
２１…接続部材
２３…電圧検知端子
２５…樹脂プロテクタ
２６…連結部材
２７…保持部
２８…仕切り壁
３０…電線収容部
３２…電線配策部
３５…補強部
３６…連結挿通部
３７…上壁
３９…係合壁
４０Ａ，４０Ｂ…被係止部
４１…ガイド受け部
４２…上壁
４４…係合壁
４６，４７…連結突片
４８…ガイド突片
４９…切欠部
５１，５２…係止部
５５…カバー部
５６…カバー本体
５７…カバー係合部
５８…板状突片
５９…カバー係止部
６０…カバー被係合部
６１…カバー挿通部
６１Ａ…第１挿通部
６１Ｂ…第２挿通部
６２…係止孔
ＣＬ…クリアランス
【図１】
0005673495.tif 000002
【図２】
0005673495.tif 000003
【図３】
0005673495.tif 000004
【図４】
0005673495.tif 000005
【図５】
0005673495.tif 000006
【図６】
0005673495.tif 000007
【図７】
0005673495.tif 000008
【図８】
0005673495.tif 000009
【図９】
0005673495.tif 000010
【図１０】
0005673495.tif 000011
【図１１】
0005673495.tif 000012
【図１２】
0005673495.tif 000013